(57)【要約】【課題】液圧による気体流路側への溶融塩浸入を防ぎ、電解液と気体流路を安定に保ち、気液分離性能を向上させることができる電気分解電極及び電気分解装置を提供する。【解決手段】貫通孔２ａが形成された導電性基板２と、貫通孔２ａが開口する導電性基板２の表面に沿って配置され、電解液を透過させずに気泡５を貫通孔２ａから気体流路の側へ選択的に透過させる多孔質膜３を備えた。多孔質膜３により、導電性基板２の接液面にて発生した気泡５を貫通孔２ａを通じて気体流路へ選択的に透過させる。【選択図】図１
2011246747.tif 000002
【特許請求の範囲】
【請求項１】
電解液の電気分解に際して接液面で発生する発生ガスを前記電解液から分離して気体流路の側に放出する電気分解電極において、
微細流路が形成された導電性部材と、
前記微細流路が開口する前記導電性部材の表面に沿って配置され、前記電解液を透過させずに前記発生ガスを前記微細流路から前記気体流路の側へ選択的に透過させる多孔質膜と、
を備えることを特徴とする電気分解電極。
【請求項２】
前記微細流路は前記導電性部材を貫通する貫通孔であって、前記多孔質膜の孔径が前記貫通孔の孔径よりも小さいことを特徴とする請求項１記載の電解分解電極。
【請求項３】
前記導電性部材の表面のうち前記電解液との接液面が疎液性であることを特徴とする請求項１又は２に記載の電気分解電極。
【請求項４】
前記多孔質膜における前記電解液との接液面が疎液性であることを特徴とする請求項１乃至３のいずれか一項に記載の電気分解電極。
【請求項５】
前記微細流路から前記気体流路の側へ透過する前記発生ガスを通過させる流路が形成され、かつ、前記気体流路の側から前記多孔質膜を保持する裏打ち基板を備えることを特徴とする請求項１乃至４のいずれか一項に記載の電気分解電極。
【請求項６】
前記請求項１乃至５のいずれか一項に記載の電気分解電極を陽極または陰極として用いることを特徴とする電気分解装置。
【請求項７】
電解液としてフッ素化合物を含む溶融塩を用い、前記請求項１乃至５のいずれか一項に記載の電気分解電極を陽極として用いて、前記発生ガスとしてのフッ素ガスを発生させることを特徴とする電気分解装置。
【発明の詳細な説明】
【技術分野】
【０００１】
本発明は、電気分解の効率を向上することによって所望のガスを効率よく生成することが可能な電気分解電極及び電気分解装置に関する。
【背景技術】
【０００２】
特許文献１には、電解液と気体流路を分離するために微細な貫通孔に働くラプラス圧を利用した電気分解装置に関する技術が開示されている。この手法によれば、液圧がラプラス圧以下であれば電解液は貫通孔を通過することができず、電解液と気体流路の界面は安定に保持される。
【先行技術文献】
【特許文献】
【０００３】
【特許文献１】国際公開ＷＯ２００８／１３２８１８公報
【発明の概要】
【発明が解決しようとする課題】
【０００４】
しかし、貫通孔の孔径数十um程度の場合ではラプラス圧は非常に小さいため、液圧に依存する電極の浸漬深さは数cm〜十数cm程度に規制されてしまう。また容器内の圧力変動により気体流路側に電解液が侵入する恐れがある。
【０００５】
本発明の目的は、液圧による気体流路側への溶融塩浸入を防ぎ、電解液と気体流路を安定に保ち、気液分離性能を向上させることができる電気分解電極及び電気分解装置を提供することにある。
【課題を解決するための手段】
【０００６】
本発明の電気分解電極は、電解液の電気分解に際して接液面で発生する発生ガスを前記電解液から分離して気体流路の側に放出する電気分解電極において、微細流路が形成された導電性部材と、前記微細流路が開口する前記導電性部材の表面に沿って配置され、前記電解液を透過させずに前記発生ガスを前記微細流路から前記気体流路の側へ選択的に透過させる多孔質膜と、を備えることを特徴とする。
この電気分解電極によれば、複数の微細流路が形成された導電性部材と、発生ガスを微細流路から気体流路の側へ選択的に透過させる多孔質膜を設けた。多孔質膜により、導電性部材の接液面にて発生したガスを気体流路側へ選択的に透過させる。よって、気体流路への電解液の侵入を防止し、電解液と気体流路とを安定した状態で分離することができる。また、電極部とは別に多孔質膜にて気液分離を行うことにより、ガスが接触する気液分離界面の有効面積を拡大してガスとの接触頻度を向上させることができる。
【０００７】
前記微細流路は前記導電性部材を貫通する貫通孔であって、前記多孔質膜の孔径が前記貫通孔の孔径よりも小さくなるよう構成してもよい。
【０００８】
前記導電性部材の表面のうち前記電解液との接液面が疎液性となるよう構成してもよい。
【０００９】
前記多孔質膜における前記電解液との接液面が疎液性となるよう構成してもよい。
【００１０】
前記微細流路から前記気体流路の側へ透過する前記発生ガスを通過させる流路が形成され、かつ、前記気体流路の側から前記多孔質膜を保持する裏打ち基板を備えてもよい。
【００１１】
本発明の電気分解装置は、前記電気分解電極を陽極または陰極として用いることを特徴とする。
この電気分解装置によれば、電気分解電極を、複数の微細流路が形成された導電性部材と、発生ガスを微細流路から気体流路の側へ選択的に透過させる多孔質膜を設けて構成する。多孔質膜により、導電性部材の接液面にて発生したガスを気体流路側へ選択的に透過させる。よって、気体流路への電解液の侵入を防止し、電解液と気体流路とを安定した状態で分離することができる。また、電極部とは別に多孔質膜にて気液分離を行うことにより、ガスが接触する気液分離界面の有効面積を拡大してガスとの接触頻度を向上させることができる。また、ガス分離を行うためのスカートなどを電解漕内に取り付ける必要がなくなり、装置の小型化が可能になる。
【００１２】
前記電解液としてフッ素化合物を含む溶融塩を用い、前記電気分解電極を陽極として用いてフッ素ガスを発生させてもよい。
【発明の効果】
【００１３】
本発明の電気分解電極によれば、複数の微細流路が形成された導電性部材と、発生ガスを微細流路から気体流路の側へ選択的に透過させる多孔質膜を設けた。多孔質膜により、導電性部材の接液面にて発生したガスを気体流路側へ選択的に透過させる。よって、気体流路への電解液の侵入を防止し、電解液と気体流路とを安定した状態で分離することができる。また、電極部とは別に多孔質膜にて気液分離を行うことにより、ガスが接触する気液分離界面の有効面積を拡大してガスとの接触頻度を向上させることができる。
【００１４】
本発明の電気分解装置によれば、電気分解電極を、複数の微細流路が形成された導電性部材と、発生ガスを微細流路から気体流路の側へ選択的に透過させる多孔質膜を設けて構成する。多孔質膜により、導電性部材の接液面にて発生したガスを気体流路側へ選択的に透過させる。よって、気体流路への電解液の侵入を防止し、電解液と気体流路とを安定した状態で分離することができる。また、電極部とは別に多孔質膜にて気液分離を行うことにより、ガスが接触する気液分離界面の有効面積を拡大してガスとの接触頻度を向上させることができる。また、ガス分離を行うためのスカートなどを電解漕内に取り付ける必要がなくなり、装置の小型化が可能になる。
【図面の簡単な説明】
【００１５】
【図１】一実施形態の気液分離電極１を示す図であり、図１（ａ）は正面図を示す図、図１（ｂ）は図１（ａ）のＩｂ−Ｉｂ断面図を示す図、図１（ｃ）は導電性基板の正面図を示す図、図１（ｄ）は図１（ｃ）のＩｄ−Ｉｄ断面図を示す図。
【図２】気液分離電極の変形例を示す図であり、図２（ａ）〜（ｃ）は図１（ａ）及び（ｂ）に示す気液分離電極の変形例を示す図、図２（ｄ）〜（ｆ）は図１（ｃ）及び（ｄ）に示す導電性基板の変形例を示す図。
【図３】気液分離電極１を設けた電極ユニット１０の構成を示す図であり、図３（ａ）は正面図、図３（ｂ）は図３（ａ）のIIIｂ−IIIｂ断面図、図３（ｃ）は側面図。
【図４】気液分離電極１表面で発生した気泡５の分離状態等を示す図であり、図４（ａ）は図３に示す電極ユニット１０を用いて電気分解を行い、気泡を発生させたときの気泡分離の様子を示す図、図４（ｂ）は導電性基板表面を疎液性材料にて表面処理を施した気液分離電極を示す図、図４（ｃ）は裏打ち基板により固定した気液分離電極を示す図。
【図５】一実施形態の電気分解装置を示す図であり、図５（ａ）は上面図を示す図、図５（ｂ）は図５（ａ）のＶｂ−Ｖｂ断面図を示す図。
【図６】電気分解装置の他の例を示す図であり、図６（ａ）は上面図を示す図、図６（ｂ）は図６（ａ）のＶIｂ−ＶIｂ断面図を示す図、図６（ｃ）は図６（ｂ）の矢印方向から見た陽極と陰極の配置図を示す図、図６（ｄ）は図６（ｃ）の陽極と陰極を電解槽に浸漬したときの外観図。
【発明を実施するための形態】
【００１６】
以下、本発明による電極の一実施形態について説明する。なお、すべての図面において、同様な構成要素には同様の符号を付し、適宜説明を省略する。
【００１７】
図１は、一実施形態の気液分離電極１を示す図であり、図１（ａ）は正面図を示す図、図１（ｂ）は図１（ａ）のＩｂ−Ｉｂ断面図を示す図、図１（ｃ）は、導電性基板２の正面図を示す図、図１（ｄ）は図１（ｃ）のＩｄ−Ｉｄ断面図を示す図である。
【００１８】
図１に示すように、気液分離電極１は、貫通孔２ａが複数形成された導電性基板２と、貫通孔２ａが開口する導電性基板２の表面に貼り付けられた多孔質膜３と、からなる。
【００１９】
導電性基板２は、例えば純ニッケルにより構成される。導電性基板２に設けられた複数の貫通孔２ａは、導電性基板２の接液面にて発生したガス（気泡）が通り抜けるための微細流路として機能する。微細流路の形状は貫通孔に限定されることなく、メッシュ構造、図１に示すポーラス構造等の種々の構造等をとることができる。
【００２０】
多孔質膜３は、例えばPTFE（四フッ化エチレン樹脂）多孔質膜により構成される。この多孔は、メッシュ構造、ポーラス構造、複数の貫通孔を穿設した構造などとして形成されている。また多孔質膜３に形成された多孔が互いに独立せず、相互に連結した複数の貫通孔を有する構造をとることもできる。多孔質膜３は、導電性基板２の接液面にて発生したガス（気泡）のみを貫通孔２ａを通して後述する気体流路の側へ選択的に透過させるためのものである。つまり、電解液にその深さに応じた圧力(液圧)が発生した場合においても、気体流路側への電解液の流出が抑制される。
【００２１】
図２は気液分離電極１の変形例を示す図であり、図２（ａ）〜（ｃ）は、図１（ａ）及び（ｂ）に示す気液分離電極１の変形例を示す断面図であり、図２（ｄ）〜（ｆ）は図１（ｃ）及び（ｄ）に示す導電性基板２の変形例を示す断面図である。
【００２２】
図２（ａ）および図２（ｄ）に示す例では、導電性基板２Ｂの貫通孔２ｂの断面積が電解液側から遠ざかるに従って徐々に小さくなり、多孔質膜３側で再び拡大する形状をとる。ここで電解液側とは多孔質膜３を貼り付けた面に対向する面の側である。
【００２３】
図２（ｂ）および図２（ｅ）に示す例では、導電性基板２Ｃの貫通孔２ｃの断面積が電解液側から遠ざかるに従って徐々に大きくなり、多孔質膜３側で最大となる形状をとる。図示していないが、貫通孔の断面積が電解液側から遠ざかるに従って徐々に小さくなり、多孔質膜３側で最小となる形状であっても良い。
【００２４】
図２（ｃ）および図２（ｆ）に示す例では、上述の複数の貫通孔が互いに独立しているのではなく、相互に連結した複数の貫通孔２ｄを有する平板状の導電性基板２Ｄを使用する例を示している。このような導電性基板２Ｄは、例えば発泡金属、シングルポアモノリス型構造体、ダブルポアモノリス型構造体、粉末焼結貴金属、繊維焼結体等から形成される。
【００２５】
（電極保持部の構造）
【００２６】
図３は、気液分離電極１を設けた電極ユニット１０の構成を示す図であり、図３（ａ）は正面図、図３（ｂ）は図３（ａ）のIIIｂ−IIIｂ断面図、図３（ｃ）は側面図である。
【００２７】
電極ユニット１０は、気液分離電極１、電極カバー１１、電極ホルダ１２、気体チャネル１３、導線１４等により構成される。図３に示すように、気液分離電極１は、電極カバー１１と電極ホルダ１２により挟まれた状態で固定されている。締結ネジ１５により電極カバー１１を締め付けることにより、気液分離電極１を電極ホルダ１２に密着させ、電解液１８が気体チャンバー１６に浸入することを防いでいる。
【００２８】
気液分離電極１は、多孔質膜３が貼り付けられた面を気体チャンバー１６側に、その対向面を電解液１８側に向けて設置される。貫通孔２ａ内には電解液１８が浸み込むが、多孔質膜３により電解液１８と気体チャンバー１６は隔絶されている。特に多孔質膜３の表面が疎液性である場合には電解液１８の侵入がより効果的に抑制される。ここで電解液に対して気液分離電極１の接触角をα、多孔質膜３の接触角をβとした場合、疎液性とは90°<α、90°<β、また親液性とは90°>α、90°>βの関係であると定義する。
【００２９】
電圧の印加は、気液分離電極１と接続されている導線１４を介して行なわれる。気体チャンバー１６へ分離された気体は、気体チャネル１３を通過して電極ユニット１０より排出される。
【００３０】
図４は、気液分離電極１表面で発生した気泡５の分離状態等を示しており、図４（ａ）は、図３に示す電極ユニット１０を用いて電気分解を行い、気泡５を発生させたときの気泡分離の様子を示す図である。気液分離電極１と電解液１８の接する面上において発生した気泡５の少なくとも一部は、貫通孔２ａ及び多孔質膜３を通して気体チャンバー１６へ排出される。多孔質膜３は微細な多孔を有しており、気体は透過するが液体は透過しないようになっている。貫通孔２ａの内部へも電解液１８が浸入させることで、効率よく気泡５を発生させることができる。
【００３１】
図４（ｂ）は、導電性基板２表面を疎液性材料４にて表面処理を施した気液分離電極１Ａを示す断面図である。図３に示す電極ユニット１０を用いて電気分解を行い、気泡５を発生させたときの気泡分離の様子が示されている。なお、導電性基板２表面を疎液性材料４にて表面処理した後、多孔質膜３を貼り付けることで、気液分離電極１Ａを作成することができる。
【００３２】
この疎液性表面処理は、導電性基板２の少なくとも電解液１８と接している表面に施すことが好ましい。疎液性の場合、電解液１８よりも発生した気泡５と馴染みやすい。そのため電解液１８と接している導電性基板２表面で発生した気泡５は、浮力による分離がされ難くなる。また貫通孔２ａ内に液圧により電解液１８が浸入し、貫通孔２ａ内の壁面にて電気分解により発生した気泡５が多量に付着する。これにより、発生した気泡５は、貫通孔２ａを通って、多孔質膜３の気液分離機能により連続的に気体流路へ分離される。このような構成により、発生した気泡５の気体チャンバー１６への背面分離がほぼ完全に行なわれるため、装置の小型化と安定した気液分離性能に寄与することができる。
【００３３】
図４（ｃ）は、裏打ち基板６により固定した気液分離電極１Ａを示す図である。裏打ち基板６には、貫通孔２ａから気体流路の側へ透過する気泡５を透過させる流路が形成されている。本実施形態では流路の一例である貫通孔６ａを形成した構造となっている。裏打ち基板６は、多孔質膜３を気体流路の側から保持する。この構成によれば、導電性基板２と多孔質膜３を密着させた状態で多孔質膜３を支持することができるため、気液分離電極１を強固に構成することができ、安定的に気液分離を行なうことが可能になる。
【００３４】
（電気分解によるガス発生）
【００３５】
図５は一実施形態の電気分解装置を示す図であり、図５（ａ）は上面図を示す図、図５（ｂ）は図５（ａ）のＶｂ−Ｖｂ断面図を示す図である。
電気分解装置は、図４で示す気液分離電極１を保持する電極ユニット１０と、気液分離機能を有しない対向電極２０とを備える。電極ユニット１０および対向電極２０を向かい合わせて電解漕１９中の電解液１８に浸漬し、電解用電源２１を用いて電圧を印加することで、電極ユニット１０を陽極、対向電極２０を陰極として機能させる。
【００３６】
初めに両極においてガス発生電圧以上となる電圧を、電解用電源２１を用いて印加すると、電解質種に応じて陽極と陰極の表面にそれぞれ異なるガスが発生する。陽極として使用している電極ユニット１０内の気液分離電極１の表面で発生したガスは、前述の原理により気体チャンバー１６内に分離される。一方陰極として使用している対向電極２０の表面には別種のガスが生じるが、気液分離機構を持たないため表面に付着するか、浮力により電極表面から分離される。このようにして電気分解を行うことにより、陽極で発生したガスと陰極で発生したガスを個別の空間に分離することが可能になり、電解槽１９内にガス分離のためのスカートなどを取り付ける必要がなくなり、装置の小型化に寄与する。
【００３７】
本実施例では電極となる導電性基板２の材料として純ニッケルを用いたが、他の材質を用いても良い。例としては、金属電極としてPt（白金）、Au（金）、Ag（銀）、Pd（パラジウム）、Rh（ロジウム）、Ir（イリジウム）、W（タングステン）の単体または前記を主成分とする合金、もしくはNi（ニッケル）-Cu（銅）合金、Ni（ニッケル）-Cr（クロム）-Fe（鉄）合金、Ni（ニッケル）- Mo（モリブデン）合金、Ni（ニッケル）-Cr（クロム）-Mo（モリブデン）合金などが、炭素電極としてグラッシーカーボン、パイロリティックグラファイト、ベーサルプレインパイロリティックグラファイト、カーボンペースト、HOPG（Highly Oriented Pyrolytic Graphite）、炭素繊維、BDD（Boron Doped Diamond）、ECR（Electron Cyclotron Resonance）成膜カーボン、導電性DLC（Diamond Like Carbon）電極などが、透明電極としてNesa（Sb（アンチモン）をドープしたSnO２）、Nesatoron（Sn（すず）をドープしたIn２O３）などが、酸化物電極としてTiO２、MnO２、PbO２、ペロブスカイト酸化物、ブロンズ酸化物などが、半導体電極としてSi、Ge、ZnO、CdS、GaAs、TiO２などが、他には高分子固体電解質電極などが挙げられる。陽極・陰極の組み合わせとして前記材料単一あるいは２つ以上の材料の組み合わせでも良い。特にNi（ニッケル）、Ni（ニッケル）-Cu（銅）合金、Ni（ニッケル）-Cr（クロム）-Fe（鉄）合金、Ni（ニッケル）- Mo（モリブデン）合金、Ni（ニッケル）-Cr（クロム）-Mo（モリブデン）合金、グラッシーカーボン、BDD（Boron Doped Diamond）、ECR（Electron Cyclotron Resonance）成膜カーボン、導電性DLC（Diamond Like Carbon）電極が好適である。
【００３８】
また、本実施例では多孔質膜３としてPTFE（四フッ化エチレン樹脂）多孔質膜を用いたが、他の材質の多孔質膜を用いても良い。例としては、ETFE（四フッ化エチレン-エチレン共重合樹脂）、PFA（四フッ化エチレン-パーフロロアルキルビニルエーテル共重合樹脂）、FEP（四フッ化エチレン-六フッ化プロピレン共重合樹脂）、PCTFE（三フッ化塩化エチレン樹脂）、PVDF（フッ化ビニリデン樹脂）、変性PTFE、ECTFE（クロロトリフルオロエチレン-エチレン共重合体樹脂）、パーフロオロアルケニルビニルエーテルポリマー（商品名CYTOP（登録商標））、THV（テトラフルオロエチレン-ヘキサフルオロプロペン-ビニリデンフロライドコポリマー）、PC（ポリカーボネート）、PP（ポリプロピレン）、HDPE（高密度ポリエチレン）、LDPE（低密度ポリエチレン）、PMMA（ポリメチルメタクリレート）、PVC（ポリ塩化ビニル）、ナイロン、PET（ポリエステル）などが挙げられる。特にフッ素系樹脂であるPTFE（四フッ化エチレン樹脂）、ETFE（四フッ化エチレン-エチレン共重合樹脂）、PFA（四フッ化エチレン-パーフロロアルキルビニルエーテル共重合樹脂）、FEP（四フッ化エチレン-六フッ化プロピレン共重合樹脂）、PCTFE（三フッ化塩化エチレン樹脂）、PVDF（フッ化ビニリデン樹脂）、変性PTFE、ECTFE（クロロトリフルオロエチレン-エチレン共重合体樹脂）、パーフロオロアルケニルビニルエーテルポリマー（商品名CYTOP（登録商標））、THV（テトラフルオロエチレン-ヘキサフルオロプロペン-ビニリデンフロライドコポリマー）が好適である。
【００３９】
（実施例1）
電極表面で発生した気泡５について気液分離が行なわれているか確認するため、電気分解により電極表面にて気泡５が発生している気液分離電極１の表面観察を行った。透明PC（ポリカーボネート）の窓材２２を電解槽１９Ａに取り付け、電気分解時の気液分離電極１の表面を観察できるようにした。
【００４０】
本実施例では気液分離電極１の貫通孔２ａを、孔径47um、ピッチ135umであり、千鳥格子上に整列した複数の貫通孔として形成した。そして、導電性DLC（Diamond Like Carbon）表面処理を行ったNi（ニッケル）製多孔基板の背面に、多孔質膜３としてPTFEメンブレン・ポアフロン（登録商標）FP-500-100（孔径5um、厚み100um、住友電工ファインポリマー社製）を貼り付けた。さらに孔径47um、ピッチ135um、千鳥格子上に整列した複数の貫通孔６ａを持ったNi（ニッケル）製裏打ち基板６によりポアフロン（登録商標）を挟み込んで固定した構造となっている。また電解液１８として溶融塩KF・n HF（nは係数、n値に制限は無いが、1≦n≦3であることが好ましい。）、陰極としてNi（ニッケル）電極を用いている。観察は長焦点レンズMX-5040RZとデジタルマイクロスコープKH-1300（いずれもハイロックス社製）を用いて行った。
【００４１】
両極においてガス発生電圧以上となる電圧を、陽極となる電極ユニット１０内の気液分離電極１と陰極となる対向電極２０の間に印加すると、電解質種に応じて陽極と陰極の表面にそれぞれ異なるガスが発生する。陽極として使用している電極ユニット１０内の気液分離電極１の表面で発生したガスは、浮力により電極表面から分離される様子は見られず、気体チャンバー１６内に安定して背面に分離される様子を確認した。陽極及び陰極におけるガス発生の化学反応式を下記に示す。
陽極： 2F- → F2 + 2e-
陰極： 2H+ + 2e- → H2
【００４２】
図６は、電気分解装置の他の例を示す図であり、図６（ａ）は上面図を示す図、図６（ｂ）は図６（ａ）のＶIｂ−ＶIｂ断面図を示す図である。そして、図６（ｃ）は図６（ｂ）の矢印方向から見た陽極と陰極の配置図を示す図、図６（ｄ）は図６（ｃ）の陽極と陰極を電解槽１９Ａに浸漬したときの外観図である。図６（ａ）〜（ｄ）に示すように、気液分離電極１を保持する電極ユニット１０と気液分離機能を有しない対向電極２０Ａを設置し、電解液１８に浸漬して電圧を印加する電気分解装置を組み立てる。対向電極２０Ａは、気液分離電極１が電解槽１９Ａの外から窓材２２を通して観察できるような形状になっている。
【００４３】
このような装置を用いても、同様に陽極として使用している電極ユニット１０内の気液分離電極１の表面で発生したガスは、浮力により電極表面から分離される様子は見られず、気体チャンバー１６内に安定して背面に分離される様子を確認できる。
【００４４】
（実施例２）
図５に示す電気分解装置を用い、陽極として導電性DLC（Diamond Like Carbon）表面処理を行ったGC（グラッシーカーボン）製平板基板を用い、電解液１８として溶融塩KF・n HF（nは係数、n値に制限は無いが、1≦n≦3であることが好ましい。）を用いて、電解実験を行った。その後、導電性DLC表面処理を行ったGC基板を取り出し、電解面の接触角の測定を行った。測定方法は、1[uL]の水滴を電極表面上に滴下し、側面から液滴の形状を観察し、θ/2法により接触角を算出した。結果、接触角は（電解前）75°、（電解後）98.2°と変化し、電極表面は溶融塩KF・n HFを用いた電解反応により疎水性表面となっていた。また導電性DLC表面の場合いわゆる陽極効果を生じず、安定して電解を継続することが可能であった。
【００４５】
このことから実施例１において導電性DLCを用いることにより、電解液１８よりも気泡５と馴染みやすくなることが判る。そのため発生した気泡５は浮力による分離がされ難くなる。また貫通孔２ａ内も電解液１８が効率的に浸入し、貫通孔２内の壁面にて電気分解により発生した気泡５が付着する。これにより、発生した気泡５は、貫通孔２ａを通って、多孔質膜３の気液分離機機能により連続的に気体流路へ分離される。
【００４６】
以上説明したように、本実施形態の気液分離電極１は、貫通孔２ａが形成された導電性基板２と、貫通孔２ａが開口する導電性基板２の表面に沿って配置され、電解液を透過させずに気泡５を貫通孔２ａから気体流路の側へ選択的に透過させる多孔質膜３とを備えている。よって、気体流路側への電解液１８の侵入を防止し、電解液１８と気体流路とを安定した状態で分離することができる。また、電極部分とは別に多孔質膜３にて気液分離を行うことにより、気泡５が接触する気液分離界面の有効面積を拡大して気泡５との接触頻度を向上させることができる。
【００４７】
また、本実施形態の気液分離電極１によれば、多孔質膜３の孔径が導電性基板２の貫通孔２ａの孔径よりも小さくなるよう構成したので、気泡５が多孔質膜３と接触した際に加わるラプラス圧を大きくすることが可能になる。このため気液分離性能を向上させることができる。
【００４８】
また、本実施形態の気液分離電極１Ａにおいては、導電性基板２の表面のうち電解液１８との接液面を疎液性材料４にて疎液性としている。このため、導電性基板２の表面が気泡５となじみやすくなり、気泡５の浮力による分離がされ難くなる。このため、発生した気泡５を導電性基板２に多量に付着させ、効率的に気体チャンバー１６側へと分離させることができる。
【００４９】
また、本実施形態の気液分離電極１によれば、多孔質膜３における電解液１８との接液面を疎液性としている。このため、多孔質膜３にて電解液１８を寄せ付けず、気泡５を気体チャンバー１６側へと分離させやすくすることができる。
【００５０】
また、本実施形態の気液分離電極１によれば、気体流路側へ気泡５を透過させる複数の貫通孔６ａを持ち、かつ、気体流路側から多孔質膜３を保持する裏打ち基板６を備えている。これにより、気液分離電極１を強固に構成することができ、安定的に気液分離を行なうことが可能になる。
【００５１】
また、本実施形態の電気分解装置によれば、貫通孔２ａが形成された導電性基板２と、貫通孔２ａが開口する導電性基板２の表面に沿って配置され、電解液を透過させずに気泡５を貫通孔２ａから気体流路の側へ選択的に透過させる多孔質膜３を備えて構成した気液分離電極１を、陽極又は陰極として用いている。このため、気体流路への電解液１８の侵入を防止し、電解液１８と気体流路とを安定した状態で分離することができる。また、電極部とは別に多孔質膜３にて気液分離を行うことにより、気泡５が接触する気液分離界面の有効面積を拡大して気泡５との接触頻度を向上させることができる。
【００５２】
また、本実施形態の電気分解装置によれば、電解液１８としてフッ素化合物を用い、気液分離電極１を陽極として用いている。この場合でも、発生したフッ素ガスを速やかに電解面と反対側の気体流路側へ移動させることができ、陰極で発生した水素ガスとの混合回避のための空間を別途設ける必要が無い。したがって、ガス分離を行うためのスカートなどを電解漕１９内に取り付ける必要がなくなり、装置の小型化が可能になる。
【００５３】
本発明の適用範囲は上記実施形態に限定されることはない。本実施形態では気液分離電極１を保持する電極ユニット１０を陽極として用いたが、陰極として用いても良い。また、本実施形態では電極ユニット１０と電解槽１９を独立なものとしているが、電極ユニット１０と電解槽１９とが組み合わさった一つのユニットとして構成してもよい。
【符号の説明】
【００５４】
１、１Ａ  気液分離電極
２、２Ｂ、２Ｃ、２Ｄ  導電性基板
２ａ、２ｂ、２ｃ、２ｄ  貫通孔
３  多孔質膜
４  疎液性材料
５  気泡
６  裏打ち基板
６ａ  貫通孔
１０  電極ユニット
１１  電極カバー
１２  電極ホルダ
１３  気体チャネル
１４  導線
１５  締結ネジ
１６  気体チャンバー
１８  電解液
１９、１９Ａ  電解槽
２０、２０Ａ  対向電極
２１  電解用電源
２２  窓材
【図１】
2011246747.tif 000003
【図２】
2011246747.tif 000004
【図３】
2011246747.tif 000005
【図４】
2011246747.tif 000006
【図５】
2011246747.tif 000007
【図６】
2011246747.tif 000008